(57)【特許請求の範囲】
【請求項１】
表面シートと裏面シートで内包した吸収体を有する体液吸収物品において、該体液吸収物品の長手方向両側縁に表面シートと裏面シートを重畳して接合したフラップを吸収体を介在させることなく外方に延出して形成し、該フラップを途中から内方に折り返し更に外方に折り返してＺ字形状に形成し、内方に折り返した裏面シートの折返片の基部に弾性体を裏面シートで狭持して配設し、弾性体が肌や経血に直接触れないようにしつつ、弾性体の弾性力で折返片を前記体液吸収物品の長手方向に収縮させて襞寄せすると共に、上方に起立させて立体ギャザーを外向きに形成したことを特徴とする体液吸収物品。
【請求項２】
Ｚ字形状に形成したフラップの延出端を、体液吸収物品の長手方向両側縁の外方に更に延出してサイドフラップを形成し、該サイドフラップの略中央にウイング部を形成したことを特徴とする請求項１記載の体液吸収物品。
【請求項３】
裏面シートに重畳してフラップを構成する表面シートを、吸収体の上面を被覆する表面シートと一体のシートで形成したことを特徴とする請求項１又は２記載の体液吸収物品。
【請求項４】
裏面シートに重畳してフラップを構成する表面シートを、吸収体の上面を被覆する表面シートと別体のシートで形成し、吸収体の表面を被覆する表面シートに連結したことを特徴とする請求項１又は２記載の体液吸収物品。
【請求項５】
フラップを構成する表面シートを別体のシートで形成し、吸収体の表面を被覆する表面シートの下面に連結したことを特徴とする請求項３記載の体液吸収物品。
【発明の詳細な説明】
【０００１】
【発明の属する分野】
この発明は、生理用ナプキン、おりものシート、失禁シート等の体液吸収物品に関し、特に漏れ防止効果と装着性に優れた体液吸収物品に関する。
【０００２】
【従来の技術】
従来、生理用ナプキン等の体液吸収物品において、物品の長手方向両側縁に沿ってゴム紐等の弾性手段による弾発力を受けて上方に起立する立体ギャザーを設け、該立体ギャザーにより体液が物品の側方から漏れ出すのを防止するようにすることは従来公知である。そして、立体ギャザーの具体的な構造、材質、形態に関しては従来種々の発明、考案が提案され、又実用化されてきている。しかしながら、従来の立体ギャザーは物品の内方に向って起立しているため、体液の漏れ防止効果は必ずしも満足し得るものではなかったと共に、起立する立体ギャザーと着用者の肌との接触により、肌をカブレさせたり或は擦り傷を付けてしまうおそれがあった。
【０００３】
【発明が解決しようとする課題】
この発明は、起立する立体ギャザーを体液吸収物品から外向きに起立させるように形成すると共に、適度の起立力とすることにより、立体ギャザーと肌との接触による不都合を解消しつつ、確実な漏れ防止を果たし得るようにすることを課題とする。
【０００４】
【課題を解決するための手段】
上記課題を解決するためにこの発明が採った手段は、表面シートと裏面シートで内包した吸収体を有する体液吸収物品において、該体液吸収物品の長手方向両側縁に表面シートと裏面シートを重畳して接合したフラップを吸収体を介在させることなく外方に延出して形成し、該フラップを途中から内方に折り返し更に外方に折り返してＺ字形状に形成し、内方に折り返した裏面シートの折返片の基部に弾性体を裏面シートで狭持して配設し、弾性体が肌や経血に直接触れないようにしつつ、弾性体の弾性力で折返片を前記体液吸収物品の長手方向に収縮させて襞寄せすると共に、上方に起立させて立体ギャザーを外向きに形成したことを特徴とする。
【０００５】
又、Ｚ字形状に形成したフラップの延出端を、体液吸収物品の長手方向両側縁の外方に更に延出してサイドフラップを形成し、該サイドフラップの略中央にウイング部を形成したことを特徴とする。
【０００６】
裏面シートに重畳してフラップを構成する表面シートを、吸収体の上面を被覆する表面シートと一体のシートで形成する。若しくは吸収体の上面を被覆する表面シートと別体のシートで形成し、吸収体の表面を被覆する表面シートに連結することを特徴とする。また、フラップを構成する表面シートを別体のシートで形成し、吸収体の表面を被覆する表面シートの下面に連結したことを特徴とする。
【０００７】
【発明の実施の形態】
この発明の好ましい実施の形態を、以下に詳細に説明する。この発明は、体液透過性の表面シートと、体液非透過性の裏面シートで破砕パルプ等からなる吸収体を内包して構成される生理用ナプキン、おりものシート、失禁シート等の体液吸収物品において、体液吸収物品の長手方向両側縁に表面シートと裏面シートとを、外方に向かって延出し、該外方に向かって延出した表面シートと裏面シートの延出部を重畳し、且互いに接合してフラップを形成する。表面シートと裏面シートが接合されたフラップを、途中で内方に折り返した後再度外方に折り返して、Ｚ字形状に形成し、内方への折返部の基部に弾性体を配設してフラップに長手方向の収縮力を付与する。弾性体により付与された収縮力により、フラップは長手方向に収縮してギャザーが形成されると共に、外向きに起立して立体的なギャザーとなる。
【０００８】
フラップは立体ギャザーを形成するに必要な幅のみとしても良いが、立体ギャザーの外方に更に所望の長さが存在するような幅に形成して、サイドフラップを形成しても良い。表面シート及び裏面シート並びに吸収体は従来この種の体液吸収物品に使用されている全ての材料を用いることが出来、特に限定されるものではない。特に吸収体は、破砕パルプに限られるものではなく吸収ポリマーを配合したもの、消臭剤を配合したもの等如何なる構造、材料であっても良い。内方への折返片は互いにホットメルト等で接合して一体化する。又、外方への折り返しの基部も接合する。物品の両側から外方に延出されるフラップ部の表面シートは、物品の本体部に配置される表面シートとは別体のシートとし、一体に連結した構造であっても良い。
【０００９】
この発明によれば、ウィング部とギャザー部が一体的に構成されているので、ショーツへの装着のためにウィングを折り返した際、ギャザー部を外側に起こす力が働き、ギャザー部がより立体的になると同時にやや外側に開いた状態となる。このため、吸収のための領域を広く維持した状態でギャザー部の堤防効果が発揮され、高い横漏れ防止効果が得られる。又、裏面シート（防漏材）でギャザー部が構成されているので、圧力がかかったときでもギャザー部を通して経血が滲み出すことがない（不織布などでギャザーを構成した場合、繊維間の隙間を通して経血が滲み出すおそれがある）。更に、裏面シートで弾性体を被覆する構造であるため、弾性体が肌や経血に直接触れることがなく、弾性体の表面性、安全性などに制約されることなく弾性体を選定できる。
【００１０】
【実施例】
以下に図面を参照しつつこの発明の好ましい実施例を説明する。図示の実施例は、この発明を適用した生理用ナプキンを示しており、図１，２を参照して表面シート(１)と裏面シート(２)に内包されて吸収体(３)が配置される。生理用ナプキンの長手方向両側縁には、表面シート(１)と裏面シート(２)を重畳して接合したフラップ(４)が外方に延出される。該フラップ(４)は、途中から内方に折り返され更に外方にＺ字形状に折り返されている。内方への折返片(５)の基部にはゴム紐等の弾性体(６)が張設され、折返片(５)の外端に生理用ナプキンの長手方向への収縮力を付与している。かかる長手方向の収縮力により、折返片(５)は生理用ナプキンの長手方向に襞寄せされてギャザーを形成すると共に、起立性が発生し、外向きの立体ギャザーとなる。起立するフラップ(４)は、外方に向かっているため着用者の肌への接触は比較的柔らかな感触で接触すると共に生理用ナプキンの幅方向の長さを実質的に大きくするので、体液の横方向への漏れ防止を有効に達成することが出来る。
【００１１】
図３，４は、一変形を示し、フラップ(４)を形成する表面シートを(１)とは別体のシート(７)で形成し、表面シート(１)に一体に連結すると共に、フラップ(４)の外方への延出幅を広く形成して、サイドフラップ(８)を作出させたものである。フラップ(４)を形成するシート(７)は、撥水性の不織布が好ましいがこれに限られないことは勿論である。
【００１２】
【発明の効果】
この発明によれば、ａ．裏面シート（防漏材）でギャザー部が構成されているので、圧力がかかったときでも  ギャザー部を通して経血が滲み出すことがない（請求項１の効果）、ｂ．裏面シートで弾性体を狭持して被覆する構造であるため、弾性体が肌や経血に直接触れることがなくなり、弾性体の表面性や安全性などに制約されることなく弾性体を選定できる（請求項１の効果）、ｃ．ウィング部とギャザー部が一体的に構成されているので、ショーツへの装着のためにウィングを折り返した際、ギャザー部を外側に起こす力が働き、ギャザー部がより立体的になると同時にやや外側に開いた状態となる。このため、吸収のための領域を広く維持した状態でギャザー部の堤防効果が発揮され、高い横漏れ防止効果が得られる（請求項２の効果）、との効果を発揮することができる。
【図面の簡単な説明】
【図１】この発明にかかる生理用ナプキンの平面図
【図２】図１Ａ−Ａ’線に沿った断面図
【図３】この発明にかかる生理用ナプキンの一変形を示す平面図
【図４】図３Ｂ−Ｂ’線に沿った断面図
【符号の説明】
(１)表面シート
(２)裏面シート
(３)吸収体
(４)フラップ
(５)折返片
(６)弾性体
(７)シート
(８)サイドフラップ
【図１】
0004095752.tif 000002
【図２】
0004095752.tif 000003
【図３】
0004095752.tif 000004
【図４】
0004095752.tif 000005